(57)【要約】【課題】ナットの締付作業を行わず工具を用いずに、巻取パイプの角度調整作業を行い、工具の挿入スペースを確保しなくて済み、角度調整装置をコンパクトに構成する。【解決手段】天井１１に水平方向の間隔をあけて一対のブラケット１２，１３が取付けられ、スクリーン本体１８を引出し可能に巻取る巻取パイプ１４が一対のブラケット１２，１３に回転可能に保持される。また一対のブラケット１２，１３のうち一方のブラケット１２と巻取パイプ１４の一端との間に、巻取パイプ１４を水平にするための角度調整装置と、一方のブラケット１２の取付部１２ａの向きに対して角度調整装置の向きを切換える切換装置とが介装される。上記角度調整装置は巻取パイプ１４の一端の軸心を略鉛直方向に段階的に変更可能に構成され、上記切換装置は角度調整装置を回転可能に構成される。【選択図】図４
2014066118.tif 000002
【特許請求の範囲】
【請求項１】
壁(51)、窓枠又は天井(11)に水平方向に間隔をあけて取付けられる一対のブラケット(12,13)と、前記一対のブラケット(12,13)に回転可能に保持されスクリーン本体(18)を引出し可能に巻取る巻取パイプ(14)とを備えたロールスクリーンにおいて、
前記一対のブラケット(12,13)のうち一方のブラケット(12)と前記巻取パイプ(14)の一端との間に、前記巻取パイプ(14)を水平にするための角度調整装置(21)と、前記一方のブラケット(12)の取付部の向きに対して前記角度調整装置(21)の向きを切換える切換装置(22)とが介装され、
前記角度調整装置(21)が前記巻取パイプ(14)の一端の軸心を略鉛直方向に段階的に変更可能に構成され、
前記切換装置(22)が前記角度調整装置(21)を回転可能に構成された
ことを特徴とするロールスクリーン。
【請求項２】
前記一方のブラケット(12)がＬ字状に形成され、壁(51)、窓枠又は天井(11)に取付けられる取付部(12a)と、この取付部(12a)と一体的に形成され前記巻取パイプ(14)の一端を保持するパイプ保持部(12b)とを有し、
前記パイプ保持部(12b)にベース部材(23)が取付けられ、
前記ベース部材(23)に嵌入されたリング部材(24)が前記ベース部材(23)に対して９０度毎に節度感を持って回転可能に構成され、
前記リング部材(24)に取付けられ中央から可動軸(26b)が突設された軸保持部材(26)が前記リング部材(24)に対してピン(26c)を中心に所定の角度毎に段階的に回動可能に構成され、
前記可動軸(26b)が前記巻取パイプ(14)の一端に挿入されるとともに前記可動軸(26b)の軸線が前記ピン(26c)の軸線に対して所定の間隔をあけて平行に設けられ、
前記切換装置(22)が前記ベース部材(23)と前記リング部材(24)とにより構成され、
前記角度調整装置(21)が前記リング部材(24)と軸保持部材(26)とにより構成された請求項１記載のロールスクリーン。
【請求項３】
前記巻取りドラム(14)の外周面に長手方向に延びるスクリーン挿入溝(14a)が形成され、
前記スクリーン挿入溝(14a)の端部から前記スクリーン本体(18)の上端を固定するフラットバー(19)を前記巻取パイプ(14)の長手方向にスライドさせて挿入可能に構成され、
前記角度調整装置(21)により前記巻取パイプ(14)の一端の軸心を前記ピン(26c)を中心に前記一方のブラケット(12)の取付部(12a)から最も離れた位置に回転させたときに、前記スクリーン挿入溝(14a)の端面が前記一方のブラケット(12)のパイプ保持部(12b)から露出するように構成された請求項２記載のロールスクリーン。
【発明の詳細な説明】
【技術分野】
【０００１】
本発明は、一対のサイドホルダにより回転可能に保持された巻取パイプにスクリーン本体を繰出し可能に巻取るロールスクリーンに関するものである。
【背景技術】
【０００２】
従来、巻取軸の両端が一対の支持ブラケットを介して取付面に回動可能に支持されるロールブラインドにおいて、巻取軸の一端が支軸で回転可能に支持され、支軸の基端が軸受固定プレートに固定され、軸受固定プレートが支持ブラケットに上下動可能に支持され、支持ブラケットから軸受固定プレートに貫通されるネジ軸にナットが螺合されて、軸受固定プレートが支持ブラケットに締付固定されたロールブラインドが開示されている（例えば、特許文献１参照。）。このロールブラインドでは、軸受固定プレートに、第１及び第２ガイド孔が設けられ、ガイド孔にネジ軸がそれぞれ貫通され、第１及び第２ガイド孔に沿って軸受固定プレートを回動させることにより、支軸が支持ブラケットに対し上下方向に位置調節可能に構成される。
【０００３】
このように構成されたロールブラインドでは、軸受固定プレートを支持ブラケットに対し回動させることにより、巻取軸の一端の高さを微調整できる。従って、支持ブラケット間で巻取軸が水平方向に支持されるように、巻取軸の一端の高さを容易に微調整できる。また軸受固定プレートを支持ブラケットに対してナットで締付けるので、スクリーン昇降動作時の振動により、軸受固定プレートの固定状態が容易に緩むことはない。更に支持ブラケットに調整ネジを設ける必要がないので、巻取軸と支持ブラケットとの間のスペースを縮小できる。従って、支持ブラケットを巻取軸の軸方向に小型化できる。
【先行技術文献】
【特許文献】
【０００４】
【特許文献１】特許第３９６７２６１号公報（請求項１、段落［００２６］、図１、図２）
【発明の概要】
【発明が解決しようとする課題】
【０００５】
しかし、上記従来の特許文献１に示されたロールブラインドでは、軸受固定プレートを支持ブラケットに対してナットで締付けるときに、スパナ等の工具を必要とするため、この工具の挿入スペースを確保しなければならない不具合があった。また、上記従来の特許文献１に示されたロールブラインドでは、支持ブラケットを窓枠の内側の狭い場所に取付ける場合、軸受固定プレートの支持ブラケットに対する角度の調整作業が難しい問題点もあった。更に、上記従来の特許文献１に示されたロールブラインドでは、このロールブラインドを天井に取付ける場合と壁に取付ける場合とでブラケットの形状や孔位置等を変更しなければならず、部品点数が増大する問題点もあった。
【０００６】
本発明の第１の目的は、ナットの締付作業を行わず、また工具を用いずに、巻取パイプの角度調整作業を行うことができ、これにより工具の挿入スペースを確保しなくて済み、角度調整装置をコンパクトに構成できる、ロールスクリーンを提供することにある。本発明の第２の目的は、ブラケットを天井や窓枠の上枠部下面に取付ける場合と壁に取付ける場合とで、形状や孔位置等の異なるブラケットを使い分ける必要がなく、同一のブラケットを用いることができ、部品点数を削減できる、ロールスクリーンを提供することにある。本発明の第３の目的は、巻取パイプをブラケットから取外さずに、スクリーン本体を巻取パイプに対して容易に脱着できる、ロールスクリーンを提供することにある。
【課題を解決するための手段】
【０００７】
本発明の第１の観点は、図１〜図４に示すように、壁１１、窓枠又は天井に水平方向に間隔をあけて取付けられる一対のブラケット１２，１３と、一対のブラケット１２，１３に回転可能に保持されスクリーン本体１８を引出し可能に巻取る巻取パイプ１４とを備えたロールスクリーンにおいて、一対のブラケット１２，１３のうち一方のブラケット１２と巻取パイプ１４の一端との間に、巻取パイプ１４を水平にするための角度調整装置２１と、一方のブラケット１２の取付部１２ａの向きに対して角度調整装置２１の向きを切換える切換装置２２とが介装され、角度調整装置２１が巻取パイプ１４の一端の軸心を略鉛直方向に段階的に変更可能に構成され、切換装置２２が角度調整装置２１を回転可能に構成されたことを特徴とする。
【０００８】
本発明の第２の観点は、第１の観点に基づく発明であって、更に図１〜図４及び図７に示すように、一方のブラケット１２がＬ字状に形成され、壁１１、窓枠又は天井に取付けられる取付部１２ａと、この取付部１２ａと一体的に形成され巻取パイプ１４の一端を保持するパイプ保持部１２ｂとを有し、パイプ保持部１２ｂにベース部材２３が取付けられ、ベース部材２３に嵌入されたリング部材２４がベース部材２３に対して９０度毎に節度感を持って回転可能に構成され、リング部材２４に取付けられ中央に可動軸２６ｂが突設された軸保持部材２６がリング部材２４に対してピン２６ｃを中心に所定の角度毎に段階的に回動可能に構成され、可動軸２６ｂが巻取パイプ１４の一端に挿入されるとともに可動軸２６ｂの軸線がピン２６ｃの軸線に対して所定の間隔をあけて平行に設けられ、切換装置２２がベース部材２３とリング部材２４とにより構成され、角度調整装置２１がリング部材２４と軸保持部材２６とにより構成されたことを特徴とする。
【０００９】
本発明の第３の観点は、第２の観点に基づく発明であって、更に図１〜図４、図７及び図９に示すように、巻取りドラム１４の外周面に長手方向に延びるスクリーン挿入溝１４ａが形成され、スクリーン挿入溝１４ａの端部からスクリーン本体１８の上端を固定するフラットバー１９を巻取パイプ１４の長手方向にスライドさせて挿入可能に構成され、角度調整装置２１により巻取パイプ１４の一端の軸心をピン２６ｃを中心に一方のブラケット１２の取付部１２ａから最も離れた位置に回転させたときに、スクリーン挿入溝１４ａの端面が一方のブラケット１２のパイプ保持部１２ｂから露出するように構成されたことを特徴とする。
【発明の効果】
【００１０】
本発明の第１の観点のロールスクリーンでは、巻取パイプを水平にするための角度調整装置により巻取パイプの一端の軸心を略鉛直方向に段階的に変更するので、ナットの締付作業を行わず、また工具を用いずに、巻取パイプの軸線を略水平に調整することができる。この結果、スクリーン本体の巻取パイプに対する巻乱れが発生することなく、スクリーン本体を巻取パイプに整然と巻取ることができるとともに、工具の挿入スペースを確保しなくて済み、角度調整装置をコンパクトに構成できる。また切換装置により角度調整装置を回転させるので、一方のブラケットの取付部の向きに対して角度調整装置の向きを切換えることができる。この結果、ブラケットを天井や窓枠の上枠部下面に取付ける場合と壁に取付ける場合とで、形状や孔位置等の異なるブラケットを使い分ける必要がなく、同一のブラケットを用いることができ、部品点数を削減できる。
【００１１】
本発明の第２の観点のロールスクリーンでは、角度調整装置の軸保持部材をリング部材に対してピンを中心に所定の角度毎に段階的に回転させることにより、巻取パイプの一端に挿入された可動軸の軸線を略鉛直方向に移動させるので、ナットの締付作業を行わず、また工具を用いずに、巻取パイプの軸線を略水平に調整することができる。この結果、上記と同様に、スクリーン本体の巻取パイプに対する巻乱れが発生することなく、スクリーン本体を巻取パイプに整然と巻取ることができるとともに、工具の挿入スペースを確保しなくて済み、角度調整装置をコンパクトに構成できる。また切換装置のリング部材をベース部材に対して９０度毎に節度感を持って回転させると、一方のブラケットの取付部の向きに対して角度調整装置の向きを切換えることができる。この結果、上記と同様に、ブラケットを天井や窓枠の上枠部下面に取付ける場合と壁に取付ける場合とで、形状や孔位置等の異なるブラケットを使い分ける必要がなく、同一のブラケットを用いることができ、部品点数を削減できる。
【００１２】
本発明の第３の観点のロールスクリーンでは、角度調整装置により巻取パイプの一端の軸心をピンを中心に一方のブラケットの取付部から最も離れた位置に回転させると、スクリーン挿入溝の端面が一方のブラケットのパイプ保持部から露出するので、フラットバーをスクリーン挿入溝の長手方向の端部から抜き差しできる。この結果、巻取パイプをブラケットから取外さずに、スクリーン本体を巻取パイプに対して容易に脱着できる。
【図面の簡単な説明】
【００１３】
【図１】本発明実施形態のロールスクリーンの角度調整装置及び切換装置を一方のブラケットから取外した状態であって軸保持部材をピンを中心に最も上方に回転させた状態を示す正面図である。
【図２】軸保持部材をピンを中心に最も下方に回転させた状態を示す図１に対応する正面図である。
【図３】そのロールスクリーンを天井に取付けた状態を示す側面図である。
【図４】そのロールスクリーンを天井に取付けた状態を示す正面図である。
【図５】ベース部材にリング部材を組込んだ状態を示すである。
【図６】軸保持部材をピンを中心に最も上方に回転させた状態と最も下方に回転させた状態の中間に位置させた状態を示す図１に対応する正面図である。
【図７】一方のブラケットにリング部材とベース部材と軸保持部材を取付ける直前の状態を示す分解側面である。
【図８】角度調整装置及び切換装置を一方のブラケットに取付けた状態を示す図６のＡ−Ａ線断面図である。
【図９】角度調整装置により巻取パイプの一端の軸心をピンを中心に一方のブラケットの取付部から最も離れた位置に回転させて、スクリーン挿入溝の端面を一方のブラケットのパイプ保持部から露出させた状態を示す要部側面図である。
【図１０】本発明第２実施形態のロールスクリーンを壁に取付けるために角度調整装置を切換装置により一方のブラケットに対して９０度回転させている状態を示す側面図である。
【図１１】そのロールスクリーンを壁に取付けた状態を示す側面図である。
【図１２】そのロールスクリーンを壁に取付けた状態を示す正面図である。
【発明を実施するための形態】
【００１４】
次に本発明を実施するための形態を図面に基づいて説明する。
＜第１の実施の形態＞
【００１５】
図３及び図４に示すように、ロールスクリーン１０は、天井１１に水平方向に間隔をあけて取付けられる一対のブラケット１２，１３と、一対のブラケット１２，１３に回転可能に保持された巻取パイプ１４とを備える。上記一対のブラケット１２，１３は一対の取付金具１６，１６及び単一のセットバー１７を介して天井１１に取付けられる。具体的には、一対の取付金具１６，１６が天井１１に間隔をあけて取付けられる。また一対の取付金具１６，１６に着脱可能なセットバー１７の長手方向の両端に一対のブラケット１２，１３がそれぞれ取付けられる。更に巻取パイプ１４にはスクリーン本体１８が引出し可能に巻取られるように構成される。即ち、巻取パイプ１４の外周面にはこの巻取パイプ１４の長手方向に延びるスクリーン挿入溝１４ａが形成され、このスクリーン挿入溝１４ａの端部からスクリーン本体１８の上端を固定するフラットバー１９を巻取パイプ１４の長手方向にスライドさせて挿入可能に構成される（図９）。
【００１６】
一方、一対のブラケット１２，１３のうち一方のブラケット１２と巻取パイプ１４の一端との間には、巻取パイプ１４を水平にするための角度調整装置２１と、一方のブラケット１２の取付部１２ａの向きに対して角度調整装置２１の向きを切換える切換装置２２とが介装される（図１〜図４及び図７）。一方のブラケット１２はＬ字状に形成される（図７）。そして一方のブラケット１２は、セットバー１７の端部に取付けられる取付部１２ａと、この取付部１２ａと一体的に形成され巻取パイプ１４の一端を保持するパイプ保持部１２ｂとを有する（図３、図４及び図７）。上記一方のブラケット１２のパイプ保持部１２ｂにはベース部材２３が取付けられ（図８）、このベース部材２３にはリング部材２４が嵌入される（図１、図２、図５及び図６）。ベース部材２３は円柱状に形成される。そしてベース部材２３は、中央に形成された長四角状の角状凹部２３ａと、この角状凹部２３ａの底面に略十字状に形成された通孔２３ｂと、外周面に一体的に形成されたフランジ部２３ｃと、通孔２３ｂの孔心を中心とする同一円周上に９０度毎に円弧状に形成された４つの円弧状凹部２３ｄと、第１ビス３１を螺合可能な２つの第１ねじ孔２３ｅとを有する（図１、図２及び図５〜図７）。このベース部材２３は、一方のブラケット１２のパイプ保持部１２ｂに載せた状態で２本の第１ビス３１，３１を上記２つの第１ねじ孔２３ｅに螺合することにより、パイプ保持部１２ｂに固定される（図３、図７及び図８）。
【００１７】
またリング部材２４は、ベース部材２３を回転可能に挿入する大径の孔２４ａと、上記ベース部材２３の４つの円弧状凹部２３ｄに係合する４つの円柱部２４ｂと、これらの円柱部２４ｂを保持する４本の腕部２４ｃと、後述するピン２６ｃが回動可能に挿入されるピン孔２４ｄと、大径の孔２４ａに対してピン孔２４ｄとは反対側の外周面に形成された複数の第１歯部２４ｅとを有する（図１、図２及び図５〜図８）。上記腕部２４ｃは弾性変形可能に形成され、円柱部２４ｂを腕部２４ｃの弾性力により円弧状凹部２３ｄに挿入する方向に圧接するととも、円柱部２４ｂが腕部２４ｃの弾性力に抗して円弧状凹部２３ｄから離脱可能に構成される。これによりリング部材２４はベース部材２３に対して９０度毎に節度感を持って回転可能に構成される。また上記複数の第１歯部２４ｅのピッチ円はピン孔２４ｄを中心とする円に一致するように形成される。
【００１８】
一方、リング部材２４には軸保持部材２６が取付けられる。この軸保持部材２６は、ベース部材２３に当接する板部２６ａと、板部２６ａの中央に突設され巻取パイプ１４の一端に挿入可能な可動軸２６ｂと、板部２６ａの一端に可動軸２６ｂとは反対方向に突設され上記ピン孔２４ｄに回動可能に挿入可能なピン２６ｃと、板部２６ａの中央に可動軸２６ｂ内に向って形成され第２ビス３２を螺合可能な第２ねじ孔２６ｄと、第２ねじ孔２６ｄに対してピン２６ｃとは反対側の外周面に形成された円弧状壁部２６ｅと、この円弧状壁部２６ｅの内側に形成され複数の第１歯部２４ｅに選択的に係止可能な複数の第２歯部２６ｆとを有する（図１〜図３及び図６〜図８）。上記可動軸２６ｂの軸線はピン２６ｃの軸線に対して所定の間隔をあけて平行に設けられる。また上記複数の第２歯部２６ｆのピッチ円直径は複数の第１歯部２４ｅのピッチ円直径と略同一に形成される。
【００１９】
軸保持部材２６のピン２６ｃをリング部材２４のピン孔２４ｄに挿入して複数の第２歯部２６ｆを複数の第１歯部２４ｅに噛合させた状態で、軸保持部材２６をリング部材２４に対してピン２６ｃを中心に回転させると、板部２６ａ、円弧状壁部２６ｃ又はリング部材２４が弾性変形して、所定の角度毎、好ましくは２〜４度毎、更に好ましくは約４度毎に段階的に回動可能に構成される。また軸保持部２６のリング部材２４に対する上方への最大回転角度θ1及び軸保持部２６のリング部材２４に対する下方への最大回転角度θ2は、好ましくは４〜１２度、更に好ましくは約１２度にそれぞれ設定される（図１〜図４）。これにより可動軸２６ｂの上方への最大移動距離Ｔ1及び可動軸２６ｂの下方への最大移動距離Ｔ2は、それぞれ好ましくは０．８〜２ｍｍ、更に好ましくは約２ｍｍとなる。ここで、上記所定の角度毎を２〜４度の範囲内に限定したのは、２度未満では第１及び第２歯部２４ｅ，２６ｆが小さくなり過ぎて第１及び第２歯部２４ｅ，２６ｆの強度が弱くなり、４度を越えると第１及び第２歯部２４ｅ，２６ｆが大きくなり過ぎて軸保持部材２６をリング部材２４に対して回動し難くなるからである。また最大回転角度θ1及びθ2を４〜１２度の範囲内に限定したのは、４度未満では巻取パイプ１４を水平に調整できない場合が発生し、１２度を越えると角度調整装置２１が大型化してしまうからである。
【００２０】
上記切換装置２２はベース部材２３とリング部材２４とにより構成され、上記角度調整装置２１はリング部材２４と軸保持部材２６とにより構成される。これにより角度調整装置２１は巻取パイプ１４の一端の軸心を略鉛直方向に段階的に変更可能に構成され、切換装置２２は角度調整装置２１を９０度毎に節度感を持って回転可能に構成される。また角度調整装置２１により巻取パイプ１４の一端の軸心をピン２６ｃを中心に一方のブラケット１２の取付部１２ａから最も離れた位置に回転させたときに、スクリーン挿入溝１４ａの端面が一方のブラケット１２のパイプ保持部１２ｂから露出するように構成される（図９）。なお、図６〜図８中の符号２７はベース部材２３の角状凹部２３ａに挿入され第２ビス３２に遊嵌されたスライドワッシャである。このスライドワッシャ２７は長方形状に形成されるとともに、中央に長孔２７ａ（図６及び図８）が形成される。これにより軸保持部材２６とともに回動する第２ビス３２の頭部がベース部材２３に引っ掛かることなく、第２ビス３２の頭部がベース部材２３に対してスムーズに摺動できるようになっている。また、図３及び図４中の符号２８はスクリーン本体１８を巻取パイプ１４に巻取ったり或いは巻取パイプ１４から繰出すために操作する操作チェーンである。更に上記ベース部材２３、軸保持部材２６及びスライドワッシャ２７はポリアセタール樹脂により形成されることが好ましく、リング部材２４はポリカーボネート樹脂により形成されることが好ましい。
【００２１】
このように構成されたロールスクリーン１０を天井１１に取付ける手順を説明する。先ず天井１１に一対の取付金具１６，１６を所定の間隔をあけて取付ける。次にベース部材２３にリング部材２４及び軸保持部材２６を組付け、第２ビス３２をスライドワッシャ２７の長孔２７ａ及びベース部材２３の通孔２３ｂに挿通した後に軸保持部材２６の第２ねじ孔２６ｄに螺合して第１仮組み体を組立てる。そして第１仮組み体を第１ビス３１により一方のブラケット１２のパイプ保持部１２ｂに取付ける（図８）。更に一方のブラケット１２に取付けた軸保持部２６の可動軸２６ｂに巻取パイプ１４の一端を挿入し、他方のブラケット１３に巻取パイプ１４の他端を取付けた状態で、一対のブラケット１２，１３を単一のセットバー１７の両端に取付けて第２仮組み体を組立てた後に、この第２仮組み体を一対の取付金具１６，１６に取付ける（図３及び図４）。
【００２２】
そして操作チェーン２８を操作して、スクリーン本体１８を巻取パイプ１４から繰出した後に巻取パイプ１４に巻取ったときに、スクリーン本体１８の巻乱れが発生すると、巻取パイプ１４が水平になっていないと判断し、巻取パイプ１４を水平にするための角度調整装置２１により巻取パイプ１４の一端の軸心を略鉛直方向に段階的に変更する。具体的には、角度調整装置２１の軸保持部材２６をリング部材２４に対してピン２６ｃを中心に所定の角度（例えば、約４度）だけ上方に回転させることにより、巻取パイプ１４の一端に挿入された可動軸２６ｂの軸線を略鉛直方向に所定の距離だけ移動させる。そして再び操作チェーン２８を操作して、スクリーン本体１８を巻取パイプ１４から繰出した後に巻取パイプ１４に巻取ったときに、スクリーン本体１８の巻乱れが発生するか否かを調べる。このときスクリーン本体１８の巻乱れが減少したけれども未だ発生する場合には、軸保持部材２６をリング部材２４に対してピン２６ｃを中心に更に所定の角度（例えば、約４度）だけ上方に回転させる。そして再び操作チェーン２８を操作して、スクリーン本体１８を巻取パイプ１４から繰出した後に巻取パイプ１４に巻取ったときに、スクリーン本体１８の巻乱れが発生するか否かを調べる。一方、スクリーン本体１８の巻乱れが増大した場合には、軸保持部材２６をリング部材２４に対してピン２６ｃを中心に角度（例えば、約８度）だけ下方に回転させる。そして再び操作チェーン２８を操作して、スクリーン本体１８を巻取パイプ１４から繰出した後に巻取パイプ１４に巻取ったときに、スクリーン本体１８の巻乱れが発生するか否かを調べる。上記操作をスクリーン本体１８の巻乱れが発生しなくなるまで行う。このように比較的簡単な作業で、ナットの締付作業を行わず、また工具を用いずに、巻取パイプ１４の軸線を略水平に調整することができる。この結果、スクリーン本体１８の巻取パイプ１４に対する巻乱れが発生することなく、スクリーン本体１８を巻取パイプ１４に整然と巻取ることができるとともに、工具の挿入スペースを確保しなくて済み、角度調整装置２１をコンパクトに構成できる。
【００２３】
また、スクリーン本体１８を巻取パイプ１４から取外して選択したり、或いは交換するときには、角度調整装置２１により巻取パイプ１４の一端の軸心をピン２６ｃを中心に一方のブラケット１２の取付部１２ａから最も離れた位置に回転させる（図９）。具体的には、軸保持部材２６をリング部材２４に対してピン２６ｃを中心に最大回転角度θ2になるまで下方に回転させる。これによりスクリーン挿入溝１４ａの端面が一方のブラケット１２のパイプ保持部１２ｂから露出するので、フラットバー１９をスクリーン挿入溝１４ａの長手方向の端部から抜き差しできる。この結果、巻取パイプ１４をブラケット１２，１３から取外さずに、スクリーン本体１８を巻取パイプ１４に対して容易に脱着できる。
【００２４】
＜第２の実施の形態＞
図１０〜図１２は本発明の第２の実施の形態を示す。図１０〜図１２において図６、図３及び図４と同一符号は同一部品を示す。この実施の形態では、天井に取付けられていた第１の実施の形態のロールスクリーン１０を壁５１に取付ける。この場合、先ず一対の取付金具１６，１６から第２仮組み体を取外す。次に一対の取付金具１６，１６を天井から外し水平方向に間隔をあけて壁５１に取付ける。そして、図１０に示すように、切換装置２２により角度調整装置２１を一方のブラケット１２に対して９０度だけ節度感を持って回転させる。具体的には、切換装置２２のリング部材２４をベース部材２３に対して９０度だけ回転させると、リング部材２４の円柱部２４ｂがベース部材２３の円弧状凹部２３ｄに係合するので、リング部材２４をベース部材２３に対して節度感を持って回転させることができる。更にこの第２仮組み体を一対の取付金具１６，１６に取付けた後に（図１１及び図１２）、第１の実施の形態と同様にして、角度調整装置２１により巻取パイプ１４が水平になるように調整する。このような簡単な作業で、一方のブラケット１２の取付部１２ａの向きに対して角度調整装置２１の向きを切換えることができる。この結果、ブラケット１２を天井に取付ける場合と壁５１に取付ける場合とで、形状や孔位置等の異なるブラケット１２を使い分ける必要がなく、同一のブラケット１２を用いることができ、部品点数を削減できる。上記以外の取付手順やスクリーン本体の着脱手順は第１の実施の形態と同様であるので、繰返しの説明を省略する。
【００２５】
なお、上記第１の実施の形態では、天井に取付金具及びセットバーを介して一対のブラケットを取付けたが、窓枠の上枠部下面に取付金具及びセットバーを介して一対のブラケットを取付けてもよく、或いは天井又は窓枠の上枠下面に一対のブラケットを直接取付けてもよい。また、上記第２の実施の形態では、壁に取付金具及びセットバーを介して一対のブラケットを取付けたが、壁に一対のブラケットを直接取付けてもよい。
【符号の説明】
【００２６】
１０  ロールスクリーン
１１  天井
１２  一方のブラケット
１２ａ  取付部
１２ｂ  パイプ保持部
１３  他方のブラケット
１４  巻取パイプ
１４ａ  スクリーン挿入部
１８  スクリーン本体
１９  フラットバー
２１  角度調整装置
２２  切換装置
２３  ベース部材
２４  リング部材
２６  軸保持部材
２６ｂ  可動軸
２６ｃ  ピン
５１  壁
【図１】
2014066118.tif 000003
【図２】
2014066118.tif 000004
【図３】
2014066118.tif 000005
【図４】
2014066118.tif 000006
【図５】
2014066118.tif 000007
【図６】
2014066118.tif 000008
【図７】
2014066118.tif 000009
【図８】
2014066118.tif 000010
【図９】
2014066118.tif 000011
【図１０】
2014066118.tif 000012
【図１１】
2014066118.tif 000013
【図１２】
2014066118.tif 000014